(57)【要約】【課題】  部屋の壁際にも中央にも自立させて設置できるし、デスク天板、棚板等を無段階の高さに設定できるので使い勝手に優れており、電源コードを露出させずに配線できるので安全性に優れており、しかも組立・分解を前面から行うことができる。【解決手段】  横方向に離間して立設する一対のピラー１、１間に上、下に離間して複数本のビーム１１、１１が着脱可能に架設してある。一対のピラー１、１に着脱可能に取着した天板支持体３６にデスク天板３７が取着してあり、デスク天板３７に一対の支持脚３８、３８が着脱可能に設けてある。各ピラー１とビーム１１内はコード収容空間になっている。各ビーム１１、天板支持体３６は、固定ねじ部材によってピラー１に高さ方向の任意の無段階の位置に締着することができる。棚板、引出、照明器具等の外装部材は、ビーム１１に嵌着したベース３１により支持してある。【選択図】  図１３
0003105699.tif 000002
【実用新案登録請求の範囲】
【請求項１】
横方向に離間して立設する一対のピラーと、該一対のピラー間に上、下に離間して着脱可能に架設する複数本のビームと、前記一対のピラーの各々に着脱可能に設けられ、前方に向けて突出する天板支持体と、該天板支持体上に載置する天板と、該天板又は天板支持体に設けられた支持脚とから自立可能に構成してなる組立式自立型家具であって、前記ピラーには、前記複数本のビーム及び天板支持体を高さ方向の任意の位置で着脱可能に支持するための長尺の係止部を夫々形成すると共に、内部には長手方向にコード収容空間を形成し、前記ビームには、外面を覆うカバーを着脱可能に支持するためのカバー係止部と、外装部材を支持するベースを着脱可能に支持するためのベース係止部を形成すると共に、内部には長手方向にコード収容空間を形成し、前記ピラーには、前記係止部に案内されて昇降し、前記ビーム及び天板支持体を高さ方向の任意の位置に締着するための固定ねじ部材を挿装してある、ことを特徴とする組立式自立型家具。
【請求項２】
前記ピラーは、少なくとも前面及び外側面を着脱自在なピラーカバーによって覆うように構成してあることを特徴とする請求項１記載の組立式自立型家具。
【請求項３】
前記ピラーカバーは、カバー本体と、該カバー本体に着脱自在に取着され、前記カバー係止部に係着する係合基体とから構成してあることを特徴とする請求項２記載の組立式自立型家具。
【請求項４】
前記天板支持体は、鋼材から構成して重量を持たせてあることを特徴とする請求項１記載の組立式自立型家具。
【請求項５】
前記外装部材は、棚板、引出し、収納ボックス、照明器具、電源スイッチ、電源用コンセント、化粧パネルのいずれか１種以上であり、取着手段を介して前記ベースに係脱自在に取着するように構成してあることを特徴とする請求項１記載の組立式自立型家具。
【考案の詳細な説明】
【技術分野】
【０００１】
本考案は、家庭用のオーディオラック、棚、作業用ディスク等の家具、或は業務用として店舗の陳列棚や家具に使用する組立式家具に関し、特に部屋の中央にも壁際にも自立させて設置することが可能であり、また組立の施工と組み替えが容易な組立式自立型家具に関する。
【背景技術】
【０００２】
従来、家庭用及び業務用のいずれの家具にも組立式のものが知られているが、組立式にする主たる目的の第１は、販売者及び購入者の運搬の便宜を図ることにある。第２の目的は、家具の一部を構成する棚板の高さ設定、使用者の要望により引出、収納ボックス等を組み替え可能にすることにある。この従来の組立式家具の基本的な構成は、一対の支柱或はボードの各々に高さ方向に離間して複数のボルト穴やダボ穴を形成し、いずれかのボルト穴やダボ穴を選択して横材、デスク天板、棚板等を架設することにより、所望の高さを選択して棚、引出、デスクを組み付ける構成のものである。また、組立可能な枠体に大きさの異なるボックスや引出を選択して組み込むことを可能にしたユニット式のものもある。
【０００３】
更に、組立式家具として、複数本の支柱（１・・・１）を支柱ジョイント（２０）により間隔を置いて連結することによって、連結された支柱（１・・・１）及び支柱ジョイント（２０）を自立可能にすると共に、連結された支柱（１・・・）及び支柱ジョイント（２０）を複数組み自立させ、これらの間に収容部材（Ｓ）を掛け渡すようにした構成のものが提案されている（特許文献１）。
【特許文献１】特開平１１−３１８５８６号公報
【考案の開示】
【考案が解決しようとする課題】
【０００４】
上述した従来の組立式家具は、支柱やボードに高さ方向に離間して形成した多数のボルト穴やダボ穴から適宜の穴を選んでデスク天板、棚板、引出等を位置決めする構成であり、選択する穴の高さは制約されているので無段階の高さ設定は不可能であるという欠点、壁際に設置することを前提に構成してあり、壁から離れた部屋の中に自立させるためには壁や天井に連結する連結部材を使用しない限り不可能であって、設置場所が限定されるという欠点、組み立て及び分解の作業は前、後側及び側方から行わなければならず、作業性が悪いという欠点がある。また、特許文献１に示す考案は、複数本の支柱１、１、・・・を連結して枠体状に構成し、収容部材Ｓを掛け渡す構成のものであり、デスク天板等の高さの選択ができない、四隅にパイプからなる支柱１が露出しており家庭用の家具には相応しく無いという問題がある。
【０００５】
本考案は上述した従来技術の欠点や未解決の問題点に鑑みなされたもので、部屋の壁際にも中央にも自立させて設置することができるし、デスク天板、棚板、引出等の高さを無段階に設定することができるので使い勝手に優れており、電源コードを露出させずに内部に配線できるので安全性に優れていると共に見栄えもよく、しかも組立てと分解を前面側から行うことができるので作業性に優れている組立式自立型家具を提供することを目的とする。
【課題を解決するための手段】
【０００６】
上述した課題を解決するために構成された本考案の手段は、横方向に離間して立設する一対のピラーと、該一対のピラー間に上、下に離間して着脱可能に架設する複数本のビームと、前記一対のピラーの各々に着脱可能に設けられ、前方に向けて突出する天板支持体と、該天板支持体上に載置する天板と、該天板又は天板支持体に設けられた支持脚とから自立可能に構成してなる組立式自立型家具であって、前記ピラーには、前記複数本のビーム及び天板支持体を高さ方向の任意の位置で着脱可能に支持するための長尺の係止部を夫々形成すると共に、内部には長手方向にコード収容空間を形成し、前記ビームには、外面を覆うカバーを着脱可能に支持するためのカバー係止部と、外装部材を支持するベースを着脱可能に支持するためのベース係止部を形成すると共に、内部には長手方向にコード収容空間を形成し、前記ピラーには、前記係止部に案内されて昇降し、前記ビーム及び天板支持体を高さ方向の任意の位置に締着するための固定ねじ部材を挿装したものからなる。
【０００７】
そして、前記ピラーは、少なくとも前面及び外側面を着脱自在なピラーカバーによって覆うように構成するとよい。
【０００８】
また、前記ピラーカバーは、カバー本体と、該カバー本体に着脱自在に取着され、前記カバー係止部に係着する係合基体とから構成するとよい。
【０００９】
更に、前記天板支持体は、鋼材から構成して重量を持たせるとよい。
【００１０】
更に、前記外装部材は、棚板、引出し、収納ボックス、照明器具、電源スイッチ、電源用コンセント、化粧パネルのいずれか１種以上であり、取付手段を介して前記ベースに係脱自在に取着するように構成するとよい。
【考案の効果】
【００１１】
本考案は上述の構成にしたから、下記の諸効果を奏する。
（１）壁や天井との連結部材を使用しないで、部屋の中央にも壁際にも自立させて設置することが可能であり、設置上の自由度に優れている。
（２）組立て及び分解の作業が容易であるし、組立て・分解の作業及び外装部材の着脱作業は前面から行うことができるので作業性に優れている。
（３）ピラーにより支持するビーム及び天板支持体は無段階に任意の高さを選択することができるから、天板及び外装部材を使い勝手のよい高さ、或は使用目的に最適な高さに配置することができる。
（４）ピラーは、少なくとも前面及び外側面を着脱自在なピラーカバーによって覆う構成にしたので、金属製のピラーを木質の家具材等に見せることができ、家具に高級感を持たせることができる。
（５）ピラー及びビームには電源コードの収容空間を設けてあるので、電源コードを引き回す内部処理が容易であるし、外部に露出しないので安全であり、また家具としての見栄えもよく格調を高めることができる。
（６）ピラーカバーは、カバー本体と、該カバー本体に着脱自在に取着され、カバー係止部に係着する係合基体とから構成したから、長尺のカバー本体が着脱の際に折れたり、損傷することがない。
（７）天板支持体は鋼材から構成して重量を持たたから、重心の低い安定性に優れた家具にできる。
（８）外装部材は使用目的に応じて選択し、組み付けることにより、使用目的に適うし、希望のタイプの家具に組み替えることが容易である。
【考案を実施するための最良の形態】
【００１２】
以下、本考案の実施の形態を図面に基づき詳述する。図１及び図２において、１、１は部屋の中央や壁際の任意の場所に立設する一対のピラーを示し、該各ピラー１は長尺のアルミニュウム押出材からなっている。各ピラー１は幅方向両端縁２Ａ、２Ａが突出して内側面２Ｂが凹状になった横外側部２と、該横外側部２から直角方向に屈曲し、幅方向両端縁３Ａ、３Ａが突出して内側面３Ｂが凹状になった後側部３を有している。４は後述する天板支持体３６やフロントピラーカバー５１を高さ方向の任意の位置で着脱可能に支持するための長尺の前側係止部を示す。該前側係止部４は帯板状の基部４Ａと、基部４Ａの両縁から前方に突出し、先端側が内向きに屈曲した左右一対の張出し部４Ｂ、４Ｂとからなり、該張出し部４Ｂ、４Ｂの対向する先端縁４Ｂ1 、４Ｂ1 の間はスリット４Ｃになった横断面略角型Ｃ字状をなしており、該スリット４Ｃを前方に向けた状態で横外側部２の内側に配置してある。
【００１３】
また、５は後述するビーム１１及び天板支持体３６を高さ方向の任意の位置で着脱可能に支持するための長尺の内側係止部を示す。該内側係止部５は帯板状の基部５Ａと、基部５Ａの両縁から前方に突出し、先端側が内向きに屈曲した左右一対の張り出し部５Ｂ、５Ｂとからなり、張り出し部５Ｂ、５Ｂの対向する先端縁５Ｂ1 、５Ｂ1 の間はスリット５Ｃになった横断面略角型Ｃ字状をなしており、該スリット５Ｃを前方に向けた状態で前記後側部３に沿って横方向に突出した状態で配置してある。６、６はアジャスタ挿着部（上側のみ図示）で、該各アジャスタ挿着部６は前側係止部４の後側に位置して上、下両端側に平面略Ｃ字状の筒状に形成されており、内周面には雌ねじ部６Ａが形成してある。
【００１４】
かくして、ピラー１は横外側部２、後側部３、前側係止部４、内側係止部５及びアジャスタ挿着部６、６を主要部とし、これらを複数の連結片７、７、・・・により平面略Ｌ字状に一体に連結することにより、内部にはコード収容空間８を形成した構成からなっている。そして、上下両端又はいずれか一端のアジャスタ挿着部６に公知のアジャスター９を軸着し、回動して昇降させることにより、ピラー１、１は床と天井との間に強固に立設することができる。
【００１５】
図３及び図４において、１１、１１は前記一対のピラー１、１間に上、下に離間して架設する一対のビームを示し、該各ビーム１１は長尺のアルミニュウム押出材からなっている。１２は該ビーム１１を構成するビーム本体で、該ビーム本体１２は横長長方形の背面部１２Ａの上下両縁から上、下張出し部１２Ｂ、１２Ｃが前方に向けて突出した縦断面略角型コ字状に形成してあり、長手方向両端側に位置して背面部１２Ａにボルト穴１２Ｄ、１２Ｄが穿設してある。１３は前記上張出し部１２Ｂの先端側内面に長手方向に沿って突設形成したカバー・ベース用の上係止部で、上係止部１３は上張出し部１２Ｂの先端側に内側（図中は下向き）に厚肉に形成した上側受け部１３Ａと、上張出し部１２Ｂから突出して該上側受け部１３Ａとの間に湾曲状嵌入溝１３Ｂを形成し、先端下側が膨出した係止縁１３Ｃ1 になった断面略湾曲状の上側受け片１３Ｃとからなっている。
【００１６】
１４は前記上係止部１３に対向して下張出し部１２Ｃの先端側内面に長手方向に沿って突設形成したカバー・ベース用の下係止部で、下係止部１４は下張出し部１２Ｃの先端縁に内側（図中は上向き）に厚肉に形成され、途中に係止用段差１４Ａ1 が形成してある下側受け部１４Ａと、該下側受け部１４Ａから略Ｌ字状に突出し、下側受け部１４Ａとの間に直線状嵌入溝１４Ｂを形成すると共に、上面に係止溝１４Ｃ1 が形成してある下側受け片１４Ｃとからなっている。
【００１７】
１５、１５は後述するスイッチカバー６１をビーム１１に係着するための上下一対のリブで、該リブ１５、１５は上係止部１３及び下係止部１４より内側に位置して上、下張出し部１２Ｂ、１２Ｃに長手方向に沿って形成してある。かくして、ビーム１１はビーム本体１２と、カバー・ベース用の上、下係止部１３、１４とから構成してあり、ビーム本体１２内は横方向に伸長するコード収容空間１６になっている。
【００１８】
２１はビーム１１に着脱可能に係着するビームカバーを示す。該ビームカバー２１は長尺のアルミニュウム押出材からなり、横長帯板状のカバー本体２２と、該カバー本体２２の裏面２２Ａの上側に位置して直角方向に突出し、先端に上向き突条２３Ａが形成してある上側片２３と、カバー本体２２の裏面２２Ａの下側に位置して直角方向に突出し、先端に下向き突条２４Ａが形成してある下側片２４とから構成してある。そして、ビームカバー２１は、上側片２３とビーム１１の上側受け片１３Ｃとの間に弾性材からなるピンチブロック２６を挟装し、下側片２４はビーム１１の下側受け片１４Ｃに下向き突条２４Ａを係止溝１４Ｃ1 に係合した状態で嵌合してある。
【００１９】
また、３１は前記ビームカバー２１の外側からビーム１１に嵌着するベースを示す。該ベース３１はアルミニュウム押出材からなり、後述する外装部材を支持するためのもので、ビームカバー２１より幅広のベース本体３２と、該ベース本体３２の上縁から後方に突出形成され、上向きに湾曲する上側嵌入片３３と、ベース本体３２の下縁から後方に直角方向に突出形成され、先端に下向き突条３４Ａが形成してある下側嵌入片３４とから構成してある。そして、ベース３１は図４に示すように、上側嵌入片３３をビーム１１の湾曲状嵌入溝１３Ｂに、下側嵌入片３４を直線状嵌入溝１４Ｂに夫々挿嵌し、下向き突条３４Ａを係止用段差１４Ａに係合することにより、ビームカバー２１の上からビーム１１に確実に嵌着するようにしてある。なお、ベース３１は支持する外装部材に応じて種々の長さのものを使用する。
【００２０】
図５において、３６はピラー１、１に着脱可能に取着する天板支持体を示す。該天板支持体３６は横断面略角型Ｃ字状の鋼材の長さ方向に所定の間隔でボルト穴３６Ａ1 を穿設し、各ピラー１の内側係止部５に後述する固定ボルト部材４１、４１を介して締着する一対の固定用脚材３６Ａ、３６Ａと、該各固定用脚材３６Ａの上端から前方に突設した支持腕材３６Ｂと、該一対の支持腕材３６Ｂ、３６Ｂ間に架設した一対の連結材３６Ｃ、３６Ｃとから構成してあり、家具の使用目的に応じてピラー１に締着する高さを選定することができる。そして、天板支持体３６は鋼材で構成することにより、家具全体の重心を低く設定して自立のための安定性を高めてある。
【００２１】
３７は前記天板支持体３６上に載置し、図示しない取付ボルトで締着した長方形のデスク天板で（図１参照）、該デスク天板３７は用途に応じてその素材を選択することが可能であり、例えばワークショップ用デスクには傷や汚れを気にせずに使用できる無垢集成材を用い、書斎用デスクには突板貼合板を使用するといった選択が可能である。
【００２２】
また、３８、３８は前記デスク天板３７及び天板支持体３６を介して一対のピラー１、１を自立させるための左右一対の支持脚を示す。該各支持脚３８は例えば所定の長さに切断したステンレス鋼管をデスク天板３７の下面に図示しない専用金具を介して連結し、床面を保護するためのアジャスター３８Ａを下端に取着した構成からなっている。なお、一対の支持脚３８、３８はステンレス鋼管以外に木製のものでもよく、また天板支持体３６の支持腕材３６Ｂに連結する構成にしてもよいものである。
【００２３】
図６及び図７において、４１はピラー１に任意の高さ位置でビーム１１、天板支持体３６を固定するための固定ねじ部材を示す。該固定ねじ部材４１は長方形の金属板からなる基板４２と、該基板４２の長さ方向に離間して直角方向に挿通され、溶接手段により固着されて基板４２の前面４２Ａ側に突出する一対の固定ボルト４３、４３と、基板４２の後面４２Ｂに一端側４４Ａが固着され、先端４４Ｂが自由端になった板ばね４４とから構成してあり、各固定ボルト４３にはナット４５を螺合するようになっている。
【００２４】
上述した固定ねじ部材４１は、図８に示すように、ピラー１に形成してある内側係止部５に挿装して使用する。固定ねじ部材４１は、板ばね４４が内側係止部５の基部５Ａに圧接した状態で上、下方向にスライドさせることにより、所望の高さの位置を無段階に選定することができる。そして、スリット５Ｃから前方に突出させたボルト４３、４３にビーム１１のボルト穴１２Ｄ、１２Ｄを挿嵌し、ナット４５、４５を螺合することにより、ビーム１１は一対のピラー１、１間に任意の高さに架設することができる。また、天板支持体３６も固定ねじ部材４１を用いることにより、同様の手順で一対のピラー１１、１１の内側係止部５、５に任意の高さを選定して固定することができる。なお、実施の形態では基板４２に２本のボルト４３、４３を挿設した固定ねじ部材４１を用いたが、必要に応じてボルト４３が１本の固定ねじ部材を用いることも可能である。
【００２５】
また、図９及び図１０において、５１はピラー１の前側係止部４を覆うフロントピラーカバーを示す。該フロントピラーカバー５１は木材を長尺の薄い帯板状に成形したカバー板５２と、係合基体５３と、該係合基体５３にカバー板５２を着脱可能に係着する両面粘着テープ５４とから構成してある。ここで、係合基体５３はプラスチック材からなり、該カバー板５２より幅狭の長尺材に成形した取付板５３Ａの裏面５３Ａ1 に長手方向に沿って一対の嵌入片５３Ｂ、５３Ｂを略Ｕ字状に一体に形成した形状からなっており、取付基体５３の表面５３Ｃに面状ファスナー５４が貼着してある。
【００２６】
フロントピラーカバー５１は上述の構成からなり、一対の嵌入片５３Ｂ、５３Ｂを前側係止部４のスリット４Ｃから押し込んで張出し部４Ｂに係合させることにより、ピラー１の前面に取着することができる。このように、フロントピラーカバー５１をカバー板５２と係合基体５３に分離し、両面粘着テープ５４で貼着する構成にしてあるから、長尺のフロントピラーカバー５１をピラー１から離脱させる際に、屈曲してカバー板部分が折れるといった問題を解消できる。なお、カバー板５２と取付基体５３は、両面粘着テープ５４に替えて面状ファスナーにより接合してもよい。
【００２７】
５６はピラー１の横外側部２を覆うためのサイドピラーカバーで、該サイドピラーカバー５６は裏面５６Ａを面状ファスナー５７を介して横外側部２の内側面２Ｂに着脱可能に係着してある。また、ピラー１の後側部３を覆うリアピラーカバー５８も同様の構成からなり、同様にしてピラー１に着脱可能に係着してある（図２参照）。
【００２８】
図１１及び図１２は外装部材の一例として埋込み配線金具６１を示す。該埋込み配線金具６１は横長の金属板を折り曲げ、上縁両側に係止片６１Ａ、６１Ａを突出形成し、中央の凹部に裏側からスイッチ６２を嵌装するようにしたものからなり、図１２に示すようにビーム１１に嵌着し、両係止片６１Ａ、６１Ａをリブ１５に係合した状態にして取付ねじ６３により固定する。ビームカバー２１にはスイッチ６２の位置に対応して操作用の穴を形成する。スイッチ６２に接続する電源コードＡはビーム１１のコード収容空間１６に配設してあるから、スイッチ６２との接続が容易であるし、電源コードＡの余長部分はコード収容空間１６に内に納めることができる。また、例えば、照明器具は、ベース３１に取付用の穴を穿設して照明器具のボルトを挿通し、裏側からナットを締着することにより固定して設置する。
【００２９】
図１３は、本考案に係る家具の一例を構成要素に分解した説明図である。当該家具は、一対のピラー１、１、該ピラー１、１間に上、下に離間して架設した２本のビーム１１、１１、ピラー１、１に連結した天板支持体３６、該天板支持体３６上に設置したデスク天板３７及びデスク天板３７に連結した一対の支持脚３８、３８を基本構成としている。各ピラー１の外面にはフロントピラーカバー５１、サイドピラーカバー５６、リアピラーカバー５８が夫々係着され、各ビーム１、１にはベース３１が係着される。腰板７１と裏腰板７２は、ピラー１、１間に位置して天板支持体３６の一対の固定用脚材３６Ａ、３６Ａに表側と裏側から面状ファスナを介して取着してある。
【００３０】
また、ピラー１、１には高さ方向途中に位置してウインドウフレーム７３、その上側後方にベースパネル７４、前方にピンナップパネル７５が取着される。ピラー１、１の最上端には蓋７６Ａ付きの吊箱７６を係着し、その後側には背面仕上げ用の支輪７７が吊箱７６に係着するようにしてある。
【００３１】
次に、上記の家具を例に組み立ての手順の大略を説明する。先ず、予めデスク天板３７を取り付けた天板支持体３６を一対のピラー１、１に固定ねじ部材４１、４１、・・により取着した後、デスク天板３７に一対の支持脚３８、３８を取着する。また、ピラー１、１間にビーム１１、１１を架設する。これにより、基本構成のピラー１、１、ビーム１１、１１、天板支持体３６、デスク天板３７及び一対の支持脚３８、３８は強固に連結した状態になる。そして、アジャスター９、９を回動し、高さを調整して天井と床との間に張設することにより一対のピラー１、１は強固に自立することができる。次に、ピラー１のコード収容空間８からビーム１１のコード収容空間１６にかけて必要な電源コードを引き回した後、ピラー１、１に腰板７１、裏腰板７２、ウインドウフレーム７３、吊箱７６等を取着し、ビーム１１にビームカバー２１、ベース３１を取着し、最後に各ピラー１に各ピラーカバー５１、５６、５８を係着することにより完成する。そして、これら組み立て作業は、ボックスレンチ、ゴムげんのう、六角レンチの３種類の工具のみで行うことができる。
【００３２】
本考案によれば、基本の構成要素を基にして種々のタイプの家具を構成することが可能である。図１４及び図１５は最もシンプルに組み合せて構成したホームワークショップで、ピラー１、１に連結した天板支持体３６にデスク天板３７が設置してあり、デスク天板３７に支持脚３８、３８を連結することにより、ホームワークショップは安定よく自立することができる。ピラー１、１間に架設したビーム１１、１１のうち、下側のビーム１１にはベース３１と電源用コンセント７８を嵌着し、上側のビーム１１に嵌着したベース３１には棚板７９が設けてあり、ビーム１１、１１間にはピンナップパネル７５、ウッドパネル８０が取着してある。
【００３３】
また、図１６及び図１７は学習用デスクを示す。基本構成は前述のホームワークショップと同じであるが、外装部材として、ピラー１、１に吊箱７６を設け、ベース３１に電気スタンド８１を設けた構成にしてある。このように、本考案によれば、使用目的に応じて種々の外装部材を組み付けることにより、多様な使用の仕方が可能であるし、容易に組み立てることができる。
【図面の簡単な説明】
【００３４】
【図１】本実施の形態に係る組立式自立型家具の基本構成を示す分解斜視図である。
【図２】ピラーの平面図である。
【図３】ビーム、カバー及びベースの部分斜視図である。
【図４】ビームにカバー及びベースを嵌着した部分斜視図である。
【図５】天板支持体の斜視図である。
【図６】固定ねじ部材の正面図である。
【図７】固定ねじ部材の側面図である。
【図８】固定用ねじ部材によりピラーにビームを締着する説明図である。
【図９】ピラーに係着するフロントピラーカバーの構成を示す分解平面図である。
【図１０】ピラーにフロントピラーカバーを係着した状態の横断面図である。
【図１１】埋込み配線金具の正面図である。
【図１２】埋込み配線金具をビームに嵌着した状態を示す縦断面図である。
【図１３】家具の全体構成を示す分解斜視図である。
【図１４】ホームワークショップの例を示す正面図である。
【図１５】図１５に示すホームワークショップの側面図である。
【図１６】学習用デスクの例を示す正面図である。
【図１７】図１６に示す学習用デスクの側面図である。
【符号の説明】
【００３５】
１        ピラー
４        前側係止部
５        内側係止部
８、１６    コード収容空間
１１      ビーム
１３      上係止部
１４      下係止部
２１      カバー
３１      ベース
３６      天板支持体
３７      デスク天板
３８      支持脚
４１      固定ねじ部材
５１、５６、５８    ピラーカバー
【図１】
0003105699.tif 000003
【図２】
0003105699.tif 000004
【図３】
0003105699.tif 000005
【図４】
0003105699.tif 000006
【図５】
0003105699.tif 000007
【図６】
0003105699.tif 000008
【図７】
0003105699.tif 000009
【図８】
0003105699.tif 000010
【図９】
0003105699.tif 000011
【図１０】
0003105699.tif 000012
【図１１】
0003105699.tif 000013
【図１２】
0003105699.tif 000014
【図１３】
0003105699.tif 000015
【図１４】
0003105699.tif 000016
【図１５】
0003105699.tif 000017
【図１６】
0003105699.tif 000018
【図１７】
0003105699.tif 000019